【事件の表示】
　特願２０００−３０４９３３「遊技機枠体」拒絶査定不服審判事件〔平成１４年　４月　９日出願公開、特開２００２−１０２４８９〕について、次のとおり審決する。
【結　論】
　本件審判の請求は、成り立たない。
【理　由】
１．手続きの経緯
　本願は平成１２年１０月４日に出願されたものであって、平成１６年２月６日付の拒絶理由が通知され、平成１６年４月９日付で意見および手続補正がなされ、平成１６年１０月２２日付の最後の拒絶理由が通知され、平成１６年１２月２４日付で意見および手続補正がなされ、平成１６年１２月２４日付の手続補正の却下の決定が平成１７年８月１５日付でなされると同時に拒絶査定がなされ、これに対して平成１７年９月２２日付で審判請求がなされ、平成１７年１０月２０日付で手続補正がなされたものである。
　　　　　　　　　　　　　　　　　　　　　　　　　　　　　　　　　
２．平成１７年１０月２０日付の手続補正についての補正却下の決定
［補正却下の結論］
　平成１７年１０月２０日付の手続補正を却下する。
　　　　　　　　　　　　　　　　　　　　　　　　　　　　　　　　　
［理由］
（１）補正後の本願発明
　平成１７年１０月２０日付の手続補正により補正された特許請求の範囲の請求項１〜３に係る発明は、その請求項１〜３に記載されたとおりと認められ、その請求項１に係る発明は、下記のとおりに特定されるものである。
　　　　　　　　　　　　　　　　　　　　　　　　　　　　　　
　「
図柄表示装置の付いた
この前枠
前枠の前側から後側に
ための配線挿抜口で割れた環状の
前記切欠部を逃げた位置に設けて前記前枠に取り付けられることにより前記配線を前枠の後側で掛け止めるとともに、前記配線止具と同じ素材で一体に形成されて構成され、
に前枠にねじ止めされた
　　　　　　　　　　　　　　　　　　　　　　　　　　
　平成１６年１２月２４日付の手続補正は却下されているので、平成１７年１０月２０日付の手続補正は、平成１６年４月９日付の手続補正により補正された特許請求の範囲に記載された発明の「前枠とそれの前側を覆う前飾りとの間に配置された電気部品からの配線が前枠の前後に引き通される遊技機枠体」を「図柄表示装置の付いた前枠と、この前枠の前側を覆う前飾りとの間に配置された電気部品からの配線が前枠の前後に引き通される遊技機枠体」とし、ついで、「この配線通路部より引き通された配線を掛け止める配線止具」を「この配線通路部より前枠の前側から後側に引き通された配線を掛け止めるための配線挿抜口で割れた環状の配線止具」とし、さらに、「この配線止具を設けられ前記前枠を前記外枠と開閉回転可能に接続するための前枠側ヒンジ」を「この配線止具を前記切欠部を逃げた位置に設けて前記前枠に取り付けられることにより前記配線を前枠の後側で掛け止めるとともに、前記配線止具と同じ素材で一体に形成されて構成され、前記前枠を前記外枠と開閉回転可能に接続するために前枠にねじ止めされた前枠側ヒンジ」とするものであるから、平成１６年４月９日付の手続補正により補正された特許請求の範囲に記載された発明を減縮するための事項に相当するものであり、平成１８年改正前特許法第１７条の２第４項第２号の規定に適合している。
　そこで、本願補正発明が、特許出願の際独立して特許を受けることができるものであるか（平成１８年改正前特許法第１７条の２第５項において準用する同法第１２６条第５項に適合するか）について以下に検討する。
　　　　　　　　　　　　　　　　　　　　　　　　　　　　　　　
（２）引用例について
　原査定の拒絶理由に引用された特開平９−７５５３０号公報（以下、「引用例」という。）には、以下の技術事項が図面とともに記載されている。
　　　　　　　　　　　　　　　　　　　　　　　　　　　　　
・記載事項１
　「【０００９】【発明の実施の形態】以下、本発明の実施の形態を、パチンコ装置に適用した一実施例として図面を参照して説明する。
Ａ．パチンコ装置の正面構成及び全体構造
　まず、図１乃至図３により、本パチンコ装置の正面構成及び全体構造について説明する。図１はパチンコ装置のパチンコ機（遊技機）を示す正面斜視図、図２は同パチンコ機の後述するガラス枠１３と前面パネル１４の正面斜視図、図３は後述する遊技盤１０を取付けた遊技盤収納枠１１及び機枠１２を示す分解斜視図である。・・・
【００１０】このパチンコ機は、図３に示すように、前面に遊技領域が形成された遊技盤１０が、遊技盤収納枠１１（内枠）を介して機枠１２に対して開閉自在に取付けられている。そして、図１及び図２に示すように、これら遊技盤１０及び遊技盤収納枠１１の前面を覆うように、ガラス枠１３（前面開閉枠）と前面パネル１４（前面開閉枠）とが前面側に配置され、遊技盤収納枠１１とは独立にそれぞれが機枠１２に対して開閉自在に取付けられている。なおこのパチンコ機は、遊技盤１０、遊技盤収納枠１１、機枠１２、ガラス枠１３、及び前面パネル１４等を構成する主な構成部材が、全て合成樹脂により形成されている。・・・このガラス枠１３の前面には、遊技領域を囲むように、上部ランプカバー１５ａ，１５ｂ，１５ｃ、開口縁部ランプカバー１６、及びサイドランプカバー１７ａ，１７ｂが設けられ、これらカバー内には装飾ランプ（図示省略）が内蔵されている。・・・」
　　　　　　　　　　　　　　　　　　　　　　　　　　　　　
・記載事項２
　「【００１６】Ｃ．遊技盤の概略構成
　次に、遊技盤１０の概略構成について説明する。図４は遊技盤１０の正面側分解斜視図、図５は遊技盤１０の裏面斜視図である。遊技盤１０の前面には、・・・例えば、いわゆる「第１種」に属するもので、複数の図柄を可変表示可能な可変表示装置を備え、この表示装置における可変表示結果が予め定められた特別図柄で表示されたことを条件に遊技者に有利な特別遊技状態（大当り状態）を発生可能な遊技機でもよい。・・・」
　　　　　　　　　　　　　　　　　　　　　　　　　　　　　
・記載事項３
　「【００１８】・・・なおここで可変表示装置は、いわゆる役物装置であって、例えば液晶表示装置（ＬＣＤ）よりなり、後述する表示制御回路３８０（図７に示す）を介して役物制御回路４００により制御され、カラーで各種の図柄を表示するものである。なお、可変表示装置の可変表示結果が予め定められた特別図柄で表示されたことを条件に遊技者に有利な特別遊技状態（大当り状態）が発生する。」
　　　　　　　　　　　　　　　　　　　　　　　　　　　　　
・記載事項４
　「【００４７】（ｂ）機枠へのガラス枠等の取付け構造、及び機枠の島側への取付け構造
　そして、この機枠１２の正面から見て左側の内側面における前面側には、縦長の凹室９０３が形成され、この凹室９０３内に断面コ字状の補強金属部材９０４がはめ込まれて固定される構成とされ、遊技盤収納枠１１，ガラス枠１３及び前面パネル１４を開閉自在に支持するヒンジ類はこの補強金属部材９０４に取付けられている。すなわち、補強金属部材９０４の複数箇所にはネジ挿通孔９０５が形成され、一方、機枠１２の凹室９０３内奥面に形成された厚肉部９０６には、これに対応する位置に複数のネジ孔９０７が形成され、図示省略したネジをネジ挿通孔９０５に挿通してネジ孔９０７に捩じ込むことにより、補強金属部材９０４が強固に機枠１２の側内面に埋め込み状態に固定されている。そして、補強金属部材９０４の表面には、遊技盤収納枠１１を支持するピンヒンジ９０８，９０９と、ガラス枠１３を支持するスライドヒンジ９１０，９１１（開閉機構体）と、前面パネル１４を支持するスライドヒンジ９１２，９１３（開閉機構体）とが、ネジ止め又は溶接により取付けられている。ピンヒンジ９０８，９０９は、遊技盤収納枠１１の前述のヒンジ孔５３１，５３２に挿通され、遊技盤収納枠１１の全体が機枠１２内に収納された閉位置から前面に開いた開位置まで揺動するように支持するものである。」
　　　　　　　　　　　　　　　　　　　　　　　　　　　　　
・記載事項５
　「【００５０】（ｃ）スライドヒンジ収納空間の構成
　次に、上記機枠１２及び遊技盤収納枠１１に設けられたスライドヒンジ収納空間の構成について説明する。本パチンコ機では、ガラス枠１３又は前面パネル１４を開閉自在に支持するスライドヒンジ９１０，９１１，９１２，９１３は、機枠１２及び遊技盤収納枠１１に設けられたスライドヒンジ収納空間（例えば図８の収納空間９５０ａ，９５０ｂ）内に収納され覆われている。・・・一方、遊技盤収納枠本体５００の左側面（ヒンジ側側面）には、前述の図７等に示すように、各スライドヒンジ９１０，９１１，９１２，９１３の前側を覆う収納空間（例えば図８の収納空間９５０ｂ）をそれぞれ形成する切り欠き５００ａ，５００ｂ，５００ｃが形成されている。すなわち、この場合切り欠き５００ａは、前記囲い壁９５１の前面側に位置して、スライドヒンジ９１０の作動範囲の比較的前側を覆う収納空間９５０ｂを画成し、切り欠き５００ｂは、前記囲い壁９５２の前面側に位置して、スライドヒンジ９１１，９１２の作動範囲の比較的前側を覆う収納空間を画成し、さらに切り欠き５００ｃは、スライドヒンジ９１３の作動範囲の比較的前側を覆う収納空間を画成している。このような収納空間が形成された構成であるため、各スライドヒンジが他の部材に接触して故障するといった不具合が確実に防止できるとともに、スライドヒンジに配線（例えば図２に示す配線５８，３５）が噛み込まれることによる断線事故等が確実に防止できる。」
　　　　　　　　　　　　　　　　　　　　　　　　　　　　　
・記載事項６
　「【００５１】また、遊技盤収納枠１１を構成する遊技盤収納枠本体５００には、図９に示すように、切り欠き５００ａの下方近傍の位置に、前面及び裏面に開口するように形成された凹室５００ｄが形成され、この凹室５００ｄ内が、ガラス枠１３の裏面に引出される前述の配線５８を遊技盤収納枠１１の裏面側に引回すための配線処理空間９６０となっている。これにより、配線５８がスライドヒンジ９１０の収納空間９５０ａ，９５０ｂとは隔離された領域に配置され、配線５８がスライドヒンジ９１０に噛み込まれる事故等がより信頼性高く防止されるとともに、整然とした配線５８の引回しが実現される。なお、図示していないが、前面パネル１４の裏面から引出される前述の配線３５の配線処理空間も同様に設けることができる。すなわち、遊技盤収納枠本体５００における、切り欠き５００ｂの下方近傍の位置に、前面及び裏面に開口するように形成された凹室を形成し、この凹室内を配線３５を通す配線処理空間とすればよい。
【００５２】以上のように本例では、前面開閉枠（ガラス枠１３及び前面パネル１４）をスライドヒンジ９１０，９１１、又はスライドヒンジ９１２，９１３により支持するようにし、機枠１２や遊技盤収納枠本体５００を合成樹脂により成形するとともに、機枠１２や遊技盤収納枠本体５００に各スライドヒンジを覆う収納空間（例えば９５０ａ，９５０ｂ）を形成し、さらに遊技盤収納枠本体５００におけるこれら収納空間の近傍には前面開閉枠からの配線３５，５８を裏側に通す配線処理空間（例えば配線処理空間９６０）を形成した。このため、以下のような各種の効果を得ることができる。」
　　　　　　　　　　　　　　　　　　　　　　　　　　　　　
　以上の記載事項１〜６及び図１〜図９によれば、次の発明が記載されていると認められる。
　　　　　　　　　　　　　　　　　　　　　　　　　　　　　
　「可変表示装置の付いた遊技盤収納枠１１と、この遊技盤収納枠１１の前側を覆うガラス枠１３との間に配置された装飾ランプからの配線５８が遊技盤収納枠１１の前後に引き回され、遊技盤収納枠１１を片開き可能に取付ける機枠１２と、この機枠１２に遊技盤収納枠１１が片開きする開閉回転中心側に遊技盤収納枠１１の凹室５００ｄを形成し配線５８を遊技盤収納枠１１の前後に引き回すための配線処理空間９６０を備え、遊技盤収納枠１１が機枠１２内に収納された閉位置から前面に開いた開位置まで揺動するように支持するために遊技盤収納枠１１にネジ止めされた遊技機。」（以下、「引用例発明」という。）
　　　　　　　　　　　　　　　　　　　　　　　　　　　　　　　　　　
（３）対比
　引用例発明と本願補正発明を対比すると、引用例発明の「可変表示装置」は本願補正発明の「図柄表示装置」に相当し、以下同様に、「遊技盤収納枠１１」は「前枠」に、「ガラス枠１３」は「前飾り」に、「装飾ランプ」は「電気部品」に、「配線５８」は「配線」に、「機枠１２」は「外枠」に、「凹室５００ｄ」は「切欠部」に、「配線処理空間９６０」は「配線通路部」に、「遊技盤収納枠１１が機枠１２内に収納された閉位置から前面に開いた開位置まで揺動するように支持する」は「前枠を外枠と開閉回転可能に接続する」に、「ネジ」は「ねじ」にそれぞれ相当している。
　　　　　　　　　　　　　　　　　　　　　　　　　　　　　　　　　
そして、引用例発明については、以下のことがいえる。
　　　　　　　　　　　　　　　　　　　　　　　　　　　
１）実質的具備事項１
　引用例の記載事項１の「【０００９】・・・【００１０】このパチンコ機は、図３に示すように、前面に遊技領域が形成された遊技盤１０が、遊技盤収納枠１１（内枠）を介して機枠１２に対して開閉自在に取付けられている・・・」なる記載、同記載事項６の「【００５１】また、遊技盤収納枠１１を構成する遊技盤収納枠本体５００には、図９に示すように、切り欠き５００ａの下方近傍の位置に、前面及び裏面に開口するように形成された凹室５００ｄが形成され、この凹室５００ｄ内が、ガラス枠１３の裏面に引出される前述の配線５８を遊技盤収納枠１１の裏面側に引回すための配線処理空間９６０となっている。・・・【００５２】・・・」なる記載および図９に基づけば、機枠１２に対して遊技盤収納枠１１が片開きするように開閉自在かつ回動自在に支持され、その支持されている側は遊技盤収納枠１１の外部と言い換えでき、その側部から内部に向かって窪んだ凹室５００ｄが形成されて配線処理空間９６０を形成しており、配線５８はその配線処理空間９６０に収納されて、遊技盤収納枠１１の前後に引き回されているのであるから、引用例発明は、「遊技盤収納枠１１の前側を覆うガラス枠１３との間に配置された装飾ランプからの配線５８が遊技盤収納枠１１の前後に引き通される機枠１２において」なる構成と「この機枠１２に遊技盤収納枠１１が片開きする開閉回転中心側の側部に遊技盤収納枠１１の外側より内部に窪む凹室５００ｄを形成し」なる構成を備えているということができ、さらに、引用例発明でいう「配線５８をその配線処理空間９６０に収納して、遊技盤収納枠１１の前後に引き回している」は、「配線５８を遊技盤収納枠１１の前後に引き通す」と言い換えできると解される。
　そして、引用例発明の「遊技盤収納枠１１」、「ガラス枠１３」、「装飾ランプ」、「配線５８」、「機枠１２」、「凹室５００ｄ」、「配線処理空間９６０」は、本願補正発明の「前枠」、「前飾り」、「電気部品」、「配線」、「外枠」、「切欠部」、「配線通路部」にそれぞれ相当していることは上記したとおりである。
　そうすると、引用例発明は、「この前枠の前側を覆う前飾りとの間に配置された電気部品からの配線が前枠の前後に引き通される遊技機枠体において」なる構成、「この外枠に前枠が片開きする開閉回転中心側の側部に前枠の外側より内部に窪む切欠部を形成し配線を前枠の前後に引き通すための配線通路部」なる構成、および「この外枠に前枠が片開きする開閉回転中心側の側部に前枠の外側より内部に窪む切欠部を形成し」なる構成を実質的に具備しているということができる。
　　　　　　　　　　　　　　　　　　　　　　　　　　　　　　
２）実質的具備事項２
　引用例の記載事項１の「【０００９】・・・【００１０】このパチンコ機は、図３に示すように、前面に遊技領域が形成された遊技盤１０が、遊技盤収納枠１１（内枠）を介して機枠１２に対して開閉自在に取付けられている。そして、図１及び図２に示すように、これら遊技盤１０及び遊技盤収納枠１１の前面を覆うように、ガラス枠１３（前面開閉枠）と前面パネル１４（前面開閉枠）とが前面側に配置され、遊技盤収納枠１１とは独立にそれぞれが機枠１２に対して開閉自在に取付けられている。・・・」なる記載および図１並びに図３に基づけば、遊技機の枠体は、機枠１２である外枠と遊技盤収納枠１１である前枠とガラス枠１３である前飾りとから、全体として１つの枠体を構成されていることは明らかであるから、引用例発明の遊技機は、実質的に遊技機枠体を備えているということができる。　　　　　　　　　　　　　　　　　　　　　　　　　
　　　　　　　　　　　　　　　　　　　　　　　　　　　　　　
　上記の点を考慮すると、本願補正発明と引用例発明は、
　　　　　　　　　　　　　　　　　　　　　　　　　　　　　　
　「図柄表示装置の付いた前枠と、この前枠の前側を覆う前飾りとの間に配置された電気部品からの配線が前枠の前後に引き通され、前枠を片開き可能に取付ける外枠と、この外枠に前枠が片開きする開閉回転中心側の側部に前枠の外側より内部に窪む切欠部を形成し配線を前枠の前後に引き通すための配線通路部とを備え、前枠を外枠と開閉回転可能に接続するために前枠にねじ止めされた遊技機枠体。」の点で一致し、以下の点で相違していると認められる。
　　　　　　　　　　　　　　　　　　　　　　　　　　　　　　　　
＜相違点＞
　本願補正発明においては、配線通路部より前枠の前側から後側に引き通された配線を掛け止めるための配線挿抜口で割れた環状の配線止具と、この配線止具を切欠部を逃げた位置に設けて前枠に取り付けられることにより配線を前枠の後側で掛け止めるとともに、前枠を外枠と開閉回転可能に接続するために配線止具と同じ素材で一体に形成されて構成された前枠側ヒンジを有するのに対して、引用例発明においては、前枠に取り付けられたヒンジ孔５３１、５３２を有するものの、この配線通路部より前枠の前側から後側に引き通された配線を掛け止めるための配線止具を有していない点。
　　　　　　　　　　　　　　　　　　　　　　　　　　　　　　　　
（４）判断
　上記相違点について、検討する。
　特開平８−２８０９０３号公報、特開平８−２６６７３２号公報、および特開平８−２７６０５７号公報等に、金属製のプレートからなるヒンジであって、このヒンジは前枠に取り付けられて、外枠に対して前枠を片開きするように開閉自在かつ回動自在に支持し、そのヒンジは配線を前側から後側に通す位置から最も遠い位置にコードバインダー片を有しており、収納枠８の側面を利用して配線を狭持し、ヒンジのプレートとコードバインダー片は一体に形成されていることが示されている。このように、遊技機技術において、前枠を外枠と前枠を片開きするように開閉回転可能に接続するために前枠と外枠を前枠側に取り付けたヒンジを用いて支持すること、配線を通す配線通路部からヒンジにおける最も離れた位置で挿通した配線を狭持すること、およびヒンジと同一素材により配線止具を一体的に設けることことは、遊技機技術分野において周知な技術にすぎないものである（以下、「周知技術」とい。）。
　そして、上記周知技術における配線止具は、配線を狭持するものであって、前枠の後側において、遊技盤の収納枠８の側面と略円弧状の部材とから配線止具を構成するとともに、その配線止具は配線を繰り入れる開口を有しているものであり、また、上記周知技術の配線止具において、配線通路部より前枠の前側から後側に引き通された配線を掛け止めできる点で、本願補正発明の配線挿抜口で割れた環状の配線止具と何ら機能に相違がない上、配線を掛け止めするに当たって、配線止部に配線挿通口を設けることは技術常識である（必要であれば、拒絶査定時に例示した引用文献４である特開平１１−３４２２４９号公報、および同引用文献５である特開２０００−２３７４３１号公報等を参照されたい）から、配線止具を配線挿抜口で割れた環状とすることは、当業者が必要に応じてなし得る程度の設計上の技術事項に過ぎないということができる。
　そうすると、引用例発明のヒンジ孔に代えて、周知技術のヒンジと一体的な配線止具を採用する際に、若干の設計変更を行って、配線通路部より前枠の前側から後側に引き通された配線を掛け止めるための配線挿抜口で割れた環状の配線止具と、この配線止具を切欠部を逃げた位置に設けて前枠に取り付けられることにより配線を前枠の後側で掛け止めるとともに、配線止具と同じ素材で一体に形成されて構成された前枠側ヒンジをすることは、当業者が容易になし得る程度のことということができる。
　　　　　　　　　　　　　　　　　　　　　　　　　　　　　　
（５）作用効果およびむすび
　よって、本願補正発明は、引用例発明および周知技術に基づいて、当業者が容易に想到することができたものであり、本願補正発明によって奏する効果も、引用例発明および周知技術に基づいて、普通に予測できる範囲内のものであって格別のものがあると認められないから、特許法第２９条第２項により特許を受けることができない。
　　　　　　　　　　　　　　　　　　　　　　　　　　　　　　
（６）補正却下の判断
　上記のとおり、本願補正発明は、平成１８年改正前特許法第１７条の２第５項で準用する同法第１２６条第５項の規定に違反するものであるので、平成１７年１０月２０日付の手続補正は、特許法第１５９条第１項で準用する同法第５３条第１項の規定により却下されるべきものである。
　　　　　　　　　　　　　　　　　　　　　　　　　　　　　　
３．本願発明について
　平成１７年１０月２０日付の手続補正は上記のとおり却下され、また、平成１６年１２月２４日付の手続補正は却下されているので、平成１６年４月９日付の手続補正書における特許請求の範囲の請求項１〜５に係る発明は、その請求項１〜５に記載されたとおりと認められ、その請求項１に係る発明は、次のとおりに特定されるものである。
　　　　　　　　　　　　　　　　　　　　　　　　　　　　　
　「前枠とそれの前側を覆う前飾りとの間に配置された電気部品からの配線が前枠の前後に引き通される遊技機枠体において、前記前枠を片開き可能に取付ける外枠と、この外枠に前記前枠が片開きする開閉回転中心側の側部に前記前枠の外側より内部に窪む切欠部を形成し配線を前枠の前後に引き通すための配線通路部と、この配線通路部より引き通された配線を掛け止める配線止具と、この配線止具を設けられ前記前枠を前記外枠と開閉回転可能に接続するための前枠側ヒンジとを備えたことを特徴とする遊技機枠体。」（以下、「本願発明」という。）
　　　　　　　　　　　　　　　　　　　　　　　　　　　　　　　
（１）引用例について
引用例の記載事項は、上記２．（２）引用例について記載したとおりである。
　　　　　　　　　　　　　　　　　　　　　　　　　　　　　　　　
（２）対比・判断
　本願発明は、上記２．（４）判断で検討した本願補正発明において、「図柄表示装置の付いた前枠と、この前枠の前側を覆う前飾りとの間に配置された電気部品からの配線が前枠の前後に引き通される遊技機枠体」、「この配線通路部より前枠の前側から後側に引き通された配線を掛け止めるための配線挿抜口で割れた環状の配線止具」および「この配線止具を前記切欠部を逃げた位置に設けて前記前枠に取り付けられることにより前記配線を前枠の後側で掛け止めるとともに、前記配線止具と同じ素材で一体に形成されて構成され、前記前枠を前記外枠と開閉回転可能に接続するために前枠にねじ止めされた前枠側ヒンジ」から、それぞれアンダーライン部を削除したものである。
　そうすると、本願発明の構成要件をすべて含み、さらに他の構成要素を付加したものに相当する本願補正発明が、上記２．（４）判断〜（５）作用効果およびむすびに記載したとおり、引用例発明および周知技術に基づいて、当業者が容易に発明することができたものであるので、特許法第２９条第２項の規定により特許を受けることができないものである。
　したがって、本願発明も、同様の理由により、引用例発明および周知技術に基づいて、当業者が容易に発明をすることができたものである。
　　　　　　　　　　　　　　　　　　　　　　　　　　　　　
（３）むすび
　以上のとおり、本願発明は、引用例発明および周知技術に基づいて、当業者が容易に発明をすることができたものであるから、特許法第２９条第２項の規定により特許を受けることができない。
　よって、結論のとおり審決する。